(57)【要約】【課題】意図せずにカバーが開閉してしまうことが無い電子機器のスライドカバー構造を提供する。【解決手段】スライドカバー構造は、開口を有する壁面を有する壁部と、壁面に沿った１の経路に沿ってスライドして開口を塞ぐ閉位置と開口を開放する開位置との間で移動可能なスライドカバーと、を有し、壁部には、１の経路に沿ってスライドカバーを案内する案内構造が設けられている。スライドカバーを閉位置及び開位置にて保持する保持構造を有する。保持構造は、案内構造の表面及びスライドカバーの表面の互いに対向する面の一方と他方とにそれぞれが形成され、スライドカバーが開位置及び閉位置にある際に互いに嵌合する受け部と嵌まり込み部とを有する。受け部は１の経路が延在する方向に沿って並置されて１の凹部を形成する２つの突起からなる。嵌まり込み部は受け部に嵌合する１の凸部からなる。【選択図】図２
2020194860.tif 000002
【特許請求の範囲】
【請求項１】
開口を有する壁面を有する壁部と、前記壁面に沿った１の経路に沿ってスライドして前記開口を塞ぐ閉位置と前記開口を開放する開位置との間で移動可能なスライドカバーと、を有し、前記壁部には、前記１の経路に沿って前記スライドカバーを案内する案内構造が設けられている電子機器のスライドカバー構造であって、
前記スライドカバーを前記閉位置及び前記開位置にて保持する保持構造を有し、
前記保持構造は、前記案内構造の表面及び前記スライドカバーの表面の互いに対向する面の一方と他方とにそれぞれが形成され、前記スライドカバーが開位置及び閉位置にある際に互いに嵌合する受け部と嵌まり込み部とを有し、
前記受け部は前記１の経路が延在する方向に沿って並置されて１の凹部を形成する２つの突起からなり、
前記嵌まり込み部は前記受け部に嵌合する１の凸部からなることを特徴とする電子機器のスライドカバー構造。
【請求項２】
前記受け部が前記１の経路が延在する方向に沿って前記スライドカバーの開位置及び閉位置の間隔で前記開位置及び前記閉位置に対応する２カ所設けられる場合に、前記嵌まり込み部の前記１の凸部は、前記１の経路が延在する方向に沿って前記受け部の前記２カ所の間隔に対応する間隔で３カ所設けられ、
前記嵌まり込み部の前記１の凸部が前記１の経路が延在する方向に沿って前記スライドカバーの開位置及び閉位置のそれぞれに対応する２カ所設けられる場合に、前記受け部は、前記１の経路が延在する方向に沿って前記受け部の前記２カ所の間隔に対応する間隔で３カ所設けられていることを特徴とする請求項１に記載の電子機器のスライドカバー構造。
【請求項３】
前記受け部が前記１の経路が延在する方向に沿って１カ所設けられる場合に、前記嵌まり込み部の前記１の凸部は、前記１の経路が延在する方向に沿って前記スライドカバーの開位置及び閉位置の間隔で２カ所設けられ、
前記嵌まり込み部の前記１の凸部が前記１の経路が延在する方向に沿って１カ所設けられる場合に、前記受け部は、前記１の経路が延在する方向に沿って前記スライドカバーの開位置及び閉位置の間隔で２カ所設けられていることを特徴とする請求項１に記載の電子機器のスライドカバー構造。
【請求項４】
前記受け部又は前記嵌まり込み部の前記１の凸部は、前記１の経路が延在する方向に沿って１カ所設けられたものから前記スライドカバーの開位置及び閉位置の間隔だけ離れて前記１の経路が延在する方向に沿って更に１カ所設けられている、
ことを特徴とする請求項３に記載の電子機器のスライドカバー構造。
【請求項５】
前記受け部の前記２つの突起の各々は、前記嵌まり込み部の前記１の凸部が前記スライドカバーの開位置及び閉位置の前記１の凹部に至る際に前記嵌まり込み部の前記１の凸部に接触する第１の傾斜角度を有する第１の斜面と、前記嵌まり込み部の前記１の凸部が前記スライドカバーの開位置及び閉位置の前記１の凹部から離れる際に前記嵌まり込み部の前記１の凸部に接触する第２の傾斜角度を有する第２の斜面と、を備え、前記第１の傾斜角度が第２の傾斜角度より大であることを特徴とする請求項１乃至４の何れか１つに記載の電子機器のスライドカバー構造。
【請求項６】
前記保持構造は前記スライドカバーの移動方向の前記開口の両端側に対として設けられている
ことを特徴とする請求項１乃至５の何れか１つに記載の電子機器のスライドカバー構造。
【請求項７】
請求項１乃至６の何れか１つに記載の電子機器のスライドカバー構造を有する電子機器であって、
筐体を有し、前記壁部が前記筐体の一部として設けられ、
前記筐体の内部側に設けられかつ外部から前記開口を介しプラグを差し込むためのコネクタソケットを有する
ことを特徴とする電子機器。
【発明の詳細な説明】
【技術分野】
【０００１】
本発明は、電子機器の開口部に設けられたスライドカバー構造に関する。
【背景技術】
【０００２】
電子機器の例えば内部コネクタソケットのための開口部を塞ぐために、特許文献１に記載されるような、カバーの穴に対する開閉動作がスライド移動により行われるスライドカバー構造が知られている（特許文献１）。このスライドカバー構造におけるスライド移動は、カバーの突起部がスライド空間の凹部に入り込み、凹部が突起部のガイドとなることで行われる。そして、カバーを閉じた状態で、カバーを内側に窪ませて形成した内側凸起と、穴をケースの外側に向けて筒状に突出して形成した防滴用突起部が密着することで、穴からの水滴の進入が防止されている。
【先行技術文献】
【特許文献】
【０００３】
【特許文献１】実開平５−０７７９７８号公報
【発明の概要】
【発明が解決しようとする課題】
【０００４】
しかしながら、特許文献１に記載された従来のスライドカバー構造ではカバーの固定機能が提供されないため、意図せずにカバーが開閉してしまうといった問題や、また、上下方向にカバーをスライドさせる用途ではカバーが自重で下に動いてしまうといった問題があった。
【０００５】
本発明は、以上の従来技術の問題点に鑑みなされたものであり、意図せずにカバーが開閉してしまうことが無く、上下方向にカバーをスライドさせる用途でカバーが自重で下に動いてしまうことも無い電子機器のスライドカバー構造を提供することを目的とする。本発明の更なる目的は、スライドカバー構造において、カバー開閉時のスライド操作性を損なうことなく、スライドカバーのロック時にロック感を伴った確実なロック機能を提供することも一例として挙げられる。
【課題を解決するための手段】
【０００６】
本発明の電子機器のスライドカバー構造は、開口を有する壁面を有する壁部と、前記壁面に沿った１の経路に沿ってスライドして前記開口を塞ぐ閉位置と前記開口を開放する開位置との間で移動可能なスライドカバーと、を有し、前記壁部には、前記１の経路に沿って前記スライドカバーを案内する案内構造が設けられている電子機器のスライドカバー構造であって、
前記スライドカバーを前記閉位置及び前記開位置にて保持する保持構造を有し、
前記保持構造は、前記案内構造の表面及び前記スライドカバーの表面の互いに対向する面の一方と他方とにそれぞれが形成され、前記スライドカバーが開位置及び閉位置にある際に互いに嵌合する受け部と嵌まり込み部とを有し、
前記受け部は前記１の経路が延在する方向に沿って並置されて１の凹部を形成する２つの突起からなり、
前記嵌まり込み部は前記受け部に嵌合する１の凸部からなることを特徴とする。
【０００７】
本発明の電子機器は、上記スライドカバー構造を有する電子機器であって、
筐体を有し、前記壁部が前記筐体の一部として設けられ、
前記筐体の内部側に設けられかつ外部から前記開口を介しプラグを差し込むためのコネクタソケットを有することを特徴とする。
【図面の簡単な説明】
【０００８】
【図１】本発明による第１の実施例の電子機器の一部分を示す概略斜視図である。
【図２】第１の実施例におけるカバーを示す概略斜視図である。
【図３】図１の線ＡＡにおける電子機器の開口部付近の一部におけるカバーの閉位置を示す概略断面図である。
【図４】図１の線ＡＡにおける電子機器の開口部付近の一部におけるカバーの開位置を示す概略断面図である。
【図５】第１の実施例におけるカバーの凸部を受ける受け部を示す概略断面の模式図である。
【図６】第２の実施例におけるカバーを示す概略斜視図である。
【図７】第３の実施例におけるカバーを示す概略斜視図である。
【図８】第４の実施例を説明するための筐体側の対向面とカバー側の対向面とに設けられる受け部と凸部との関係を示す概略断面の模式図である。
【発明を実施するための形態】
【０００９】
以下、図面を参照しつつ本発明による実施例の電子機器のスライドカバー構造さらに電子機器のコネクタソケットにおけるスライド式開閉カバーのロック構造について詳細に説明する。なお、本発明は以下の実施例に限定されるものではない。なお、実施例において、実質的に同一の機能及び構成を有する構成要素については、同一の符号を付することにより重複説明を省略する。
【実施例１】
【００１０】
（構成の説明）
図１は第１の実施例の電子機器３の一部分を示す概略斜視図である。電子機器３の筐体３ａで覆われた内部にはコネクタソケット３ｂが設けられている。コネクタソケット３ｂは電子機器内部の回路基板（図示せず）に接続される。筐体３ａには、装置外部より接続するプラグ（図示せず）をコネクタソケット３ｂに差し込むために、筐体３ａの筐体の一部にはコネクタソケット用の矩形の開口３ｃが開けられている。その開口３ｃを被覆可能で移動可能なカバー３ｄ（スライドカバーとも称する）が設けられている。カバー３ｄと筐体３ａの材質は樹脂プラスチック材である。
【００１１】
図２はカバー３ｄを示す概略斜視図である。カバー３ｄは、移動方向に垂直に拡張された一対の滑走部３ｅと中央の突出したリブ３ｄＲの部分が本体（開口３ｃの蓋部）に一体化され形成されている。カバー３ｄの一対の滑走部３ｅの一方の外側に向く表面３ｄＰの両端部にカバーロックのための半円球状の突起部である凸部３ｆ（嵌まり込み部）が２カ所設けられている。２カ所の凸部３ｆは同一形状になっている。なお、図２において筐体の要素は破線で示してある。
【００１２】
図１、図２に示すように、筐体３ａにはカバー３ｄの一対の滑走部３ｅに対応した一対の案内溝３ｇ（案内構造）が開口３ｃの対向縁部３ｃＷ（カバー３ｄ移動方向に垂直な方向で対向する）に設けられている。案内溝３ｇは、カバー３ｄの移動のための筐体３ａの壁面に沿った１つの経路を画定し、これに沿ってカバー３ｄはスライドして開口３ｃを覆う閉位置と開口３ｃを開放する開位置との間で滑動して、移動可能となる。
【００１３】
一対の案内溝３ｇの一方の内側に向く表面３ｇＰのカバー３ｄの円弧突起部の凸部３ｆに対向した位置に、受け部３ｈが設けられている。
【００１４】
すなわち、図２に示すように、滑走部３ｅと案内溝３ｇには、保持構造としての案内溝３ｇのスライド表面３ｇＰ及びカバー３ｄのスライド表面３ｄＰ（互いに対向する対向面３ｇＰ、３ｄＰ）の一方と他方とにそれぞれに半円球状の突起部である凸部３ｆとその受け部３ｈが形成されている。
【００１５】
この受け部３ｈはカバー３ｄを閉じた状態で固定できる位置（閉位置）とカバーを開いた状態で固定できる位置（開位置）に対応し、計３カ所に設けられている。３つの受け部３ｈそれぞれをＡ部、Ｂ部、Ｃ部と称する。中央の受け部３ｈのＢ部はカバーの閉位置と開位置の両方に使用できる位置に設定されている。
【００１６】
図３、図４は図１の線ＡＡにおける電子機器の開口部付近の一部を示す概略断面図である。図３はカバー３ｄの閉位置を示し、図４はカバー３ｄの開位置を示す。
【００１７】
図５はＡ部、Ｂ部、Ｃ部の受け部３ｈを示す概略断面の模式図である。受け部３ｈは、案内溝３ｇに沿って並置され２つの突起３１、３２（畝状又は楕円球状）からなり、突起３１、３２の間に１つの凹部３３を形成する。保持構造は、カバー３ｄが開位置及び閉位置にある際に互いに嵌合する受け部３ｈ（凹部３３）と凸部３ｆ（凹部３３に嵌まり込む部分）とを有するように構成されている。
【００１８】
受け部３ｈと凸部３ｆは、カバー３ｄの凸部３ｆを開位置又は閉位置で位置決めした状態で固定するロック機能を発揮する。カバー３ｄの凸部３ｆが受け部３ｈの位置に至ると、受け部３ｈの峰部（突起３１、３２）にてカバー３ｄの凸部３ｆに押し付けられるため、カバー３ｄの滑走部３ｅの弾性力によって、カバー３ｄの滑走部３ｅの凸部３ｆが筐体３ａの対向面３ｇＰの凹部３３に着座（当接）した状態でガタ付きが少なく固定される。
【００１９】
図５において、筐体側の受け部３ｈのＡ部、Ｂ部、Ｃ部の各々の２つの突起３１、３２の斜面と案内溝３ｇの表面３ｇＰが成す傾斜角度θ０、θａ、θｂを示す。
【００２０】
受け部３ｈの２つの突起３１、３２における斜面の傾斜角度がＡ部→Ｂ部→Ｃ部の順に、以下のように設定されている。
【００２１】
Ａ部：θ０、θａ、θｂ、θａ
Ｂ部：θａ、θｂ、θｂ、θａ
Ｃ部：θａ、θｂ、θａ、θ０
傾斜角度θａ（第１の斜面α）と傾斜角度θｂ（第２の斜面β）は実験値よりθａ＝３１±２度及びθｂ＝２６．１±２度に設定されている。θ０は任意の角度に設定できる。
【００２２】
すなわち、受け部３ｈの２つの突起３１、３２の各々は、嵌まり込み部の凸部３ｆがカバー３ｄの開位置及び閉位置の凹部３３に至る際に嵌まり込み部の凸部３ｆに接触する第１の傾斜角度θａを有する第１の斜面αと、嵌まり込み部の凸部３ｆがカバー３ｄの開位置及び閉位置の凹部３３から離れる際に嵌まり込み部の凸部３ｆに接触する第２の傾斜角度θｂを有する第２の斜面βと、を備え、第１の傾斜角度θａが第２の傾斜角度θｂより大である。
（動作の説明）
カバー３ｄをスライドさせてロックする際は、カバー側の凸部３ｆが２カ所ともに筐体側の傾斜角度θａの第１の斜面αを越えてロックされる。
【００２３】
また、カバー３ｄをスライドさせてロック解除する際は、カバー側の凸部３ｆが２カ所ともに筐体側の傾斜角度θｂの第２の斜面βを越えてロック解除される。
（効果の説明）
以上のように、第１の実施例によれば、カバー３ｄの開閉時のロック構造において、筐体側のロック部形状３ｈをスライド方向に対してロック時に越える面の傾斜角度をθａ＝３１±２度に、ロック解除時に越える面の傾斜角度をθｂ＝２６．１±２度の形状とすること（第１の傾斜角度θａを第２の傾斜角度θｂより大とすること）で、ロック操作時はカバー側の半円状突起部の凸部３ｆが筐体側の傾斜角度θａの急な第１の斜面αに当接しこれを越えるため、スライドロック時に確実なロック感と共にロック動作を行うことができ、またロック解除操作時はカバー側の凸部３ｆが筐体側の傾斜角度θｂの緩やかな第２の斜面βに当接しこれを越えるため、スライドロック操作時よりも軽い力でカバーのスライド動作を行う効果が得られる。
【００２４】
本実施例によれば、スライド式の開閉カバーのロック構造において、カバー開閉時のスライド操作性を損なうことなく、スライドロック時にロック感を伴った確実なロック機能を提供することができる。
【実施例２】
【００２５】
図６は第２の実施例におけるカバーを示す概略斜視図である。第２の実施例は、第１の実施例のカバー３ｄの一対の滑走部３ｅの一方に設けた凸部３ｆに加えて一対の滑走部３ｅの他方にも凸部３ｆを設け、図６に示すように、保持構造としてカバー３ｄの移動方向の開口３ｃの両端縁側に対として凸部３ｆとこれらに対応する受け部３ｈを設けた構成とした以外、第１の実施例と同一である。
【００２６】
本実施例により、凸部３ｆと受け部３ｈの組が増えた分、カバー３ｄのロック機能を向上できる。
【実施例３】
【００２７】
図７は第３の実施例におけるカバーを示す概略斜視図である。第３の実施例は、図７に示すように、第１の実施例のカバー３ｄの一対の滑走部３ｅの一方（対向面３ｄＰ）に案内溝３ｇに沿って受け部３ｈが２カ所並置され、これに対応する凸部３ｆが筐体側の対向面３ｇＰにて３カ所に設けられている、すなわち、凸部３ｆとこれらに対応する受け部３ｈを互いの対向面で交換して設けた構成とした以外、第１の実施例と同一である。
【００２８】
本実施例によっても、第１の実施例と同様の効果が得られる。
【実施例４】
【００２９】
図８は、筐体側の対向面３ｇＰとカバー３ｄ側の対向面３ｄＰとに設けられる受け部３ｈと凸部３ｆとの関係を示す概略断面の模式図である。図８（ａ）に示すように、第１の実施例においては、カバー側の対向面３ｄＰに案内溝３ｇに沿って凸部３ｆが２カ所並置され、これに対応する受け部３ｈが筐体側の対向面３ｇＰにて３カ所に設けられているが、第４の実施例では、図８（ｂ）（ｃ）に示すように、受け部３ｈが筐体側の対向面３ｇＰにて２カ所に減じて設けられている（これ以外、第１の実施例と同一である）。図８（ｂ）に示す例ではＡ部の受け部が省略され、図８（ｃ）に示す例ではＣ部の受け部が省略されている。
【００３０】
さらに、第４の実施例では、図８（ｄ）（ｅ）に示すように、図８（ｂ）（ｃ）の場合に加えて更に凸部３ｆもカバー側の対向面３ｄＰにて１カ所に減じて設けられている（これ以外、第１の実施例と同一である）。図８（ｄ）に示す例ではＡ部の受け部と凸部が省略され、図８（ｅ）に示す例ではＣ部の受け部とＢ部の凸部とが省略されている。
【００３１】
本実施例においても、第２の実施例と同様に、カバー３ｄの移動方向の開口３ｃの両端縁側に対として凸部３ｆとこれらに対応する受け部３ｈを設けた構成としてもよい。また、第３の実施例と同様に、凸部３ｆとこれらに対応する受け部３ｈを互いの対向面で交換して設けた構成としてもよい。
【００３２】
図８（ｄ）（ｅ）に示す例においては、受け部３ｈが案内溝３ｇが延在する方向に沿って１カ所設けられる場合に、凸部３ｆは、案内溝３ｇが延在する方向に沿ってスライドカバーの開位置及び閉位置の間隔で２カ所設けられ、また、凸部３ｆが案内溝３ｇが延在する方向に沿って１カ所設けられる場合に、受け部３ｈは、案内溝３ｇが延在する方向に沿ってスライドカバーの開位置及び閉位置の間隔で２カ所設けられていればよい。
【００３３】
図８（ｂ）（ｃ）に示す例においては、図８（ｄ）（ｅ）に示す例に加えて、受け部３ｈ又は凸部３ｆは、案内溝３ｇが延在する方向に沿って１カ所設けられたものからスライドカバーの開位置及び閉位置の間隔だけ離れて案内溝３ｇが延在する方向に沿って更に１カ所設けられていればよい。
【００３４】
本実施例によっても、第１の実施例と同様の効果が得られる。
【００３５】
いずれの実施例においても、カバー３ｄを案内する案内構造は、連続する案内溝３ｇに限定されず、リブ等の間隔をあけたカバースライド可能な空間を維持できる構造が採用できる。さらに、カバー３ｄの移動方向の両側に案内溝３ｇ等の案内構造の一対を設けることに限定されず、カバー３ｄの移動方向の片側にのみ案内構造を設けることもできる。
【符号の説明】
【００３６】
３  電子機器
３ａ  筐体
３ｂ  コネクタソケット
３ｃ  開口
３ｄ  カバー
３ｅ  滑走部
３ｆ  凸部
３ｇ  案内溝
３ｇＰ、３ｄＰ  対向面
３ｈ  受け部
３１、３２  突起
凹部３３
α  第１の斜面
β  第２の斜面
【図１】
2020194860.tif 000003
【図２】
2020194860.tif 000004
【図３】
2020194860.tif 000005
【図４】
2020194860.tif 000006
【図５】
2020194860.tif 000007
【図６】
2020194860.tif 000008
【図７】
2020194860.tif 000009
【図８】
2020194860.tif 000010